(57)【特許請求の範囲】
【請求項１】
連結縦框同士を突き合わせた左右の扉体を折曲げ自在に連結すると共に前記両連結縦框間に跨って配設したヒンジ機構と、前記両連結縦框間の間隙を閉塞するように当該両連結縦框間に跨って配設した閉塞部材と、を有する折戸において、
前記ヒンジ機構は、前記両連結縦框の少なくとも上端部、下端部および中間部にそれぞれ配設され、且つそれぞれが前記閉塞部材の内側にその小口から挿入・装着される複数の軸受け部材と、
前記両連結縦框の一方の端部片にそれぞれ形成され、前記各軸受け部材に回動自在に支持される折曲げ軸部と、を備え、
前記各軸受け部材は、見付け方向の左右中間に位置する受け部材本体と、前記受け部材本体から左側に突出する左受け部と、前記受け部材本体から右側に突出する右受け部とから成り、
前記左受け部および前記右受け部は、前記受け部材本体を挟んで上下方向に相互に位置ずれして配設されていることを特徴とする折戸。
【請求項２】
前記左受け部および前記右受け部に対し、前記受け部本体は上下方向に長く形成され且つ挿入側の端部が突出していることを特徴とする請求項１に記載の折戸。
【請求項３】
前記各折曲げ軸部は、回動の支点となる支点部と、当該支点部に連なる円弧部とを有し、
前記軸受け部材は、前記各支点部を受ける左右一対の支点受け部と、前記各円弧部を摺動自在に受ける左右一対の円弧受け部とを有していることを特徴とする請求項１または２に記載の折戸。
【請求項４】
前記各折曲げ軸部は、回動の支点となる支点部と、当該支点部に連なる円弧部とを有し、
前記閉塞部材は、前記各支点部を受ける左右一対の支点受け部を有し、
前記軸受け部材は、前記各円弧部を摺動自在に受ける左右一対の円弧受け部とを有していることを特徴とする請求項１または２に記載の折戸。
【請求項５】
前記閉塞部材の上端部に配設された前記軸受け部材は、当該閉塞部材の上小口端に装着した端部キャップに組み込まれ、
前記閉塞部材の下端部に配設された前記軸受け部材は、当該閉塞部材の下小口端に装着した端部キャップに組み込まれていることを特徴とする請求項１ないし４のいずれかに記載の折戸。
【請求項６】
前記各連結縦框は金属製の形材で構成され、
前記各軸受け部材は樹脂で構成されていることを特徴とする請求項１ないし５のいずれかに記載の折戸。
【発明の詳細な説明】
【０００１】
【発明が属する技術分野】
本発明は、例えば、浴室などに設けられ、左右一対の扉体を中央部で折曲げ自在に連結した折戸に関する。
【０００２】
【従来の技術】
この種の従来の折戸における両扉体の連結縦框は、突合せ部の端面が開放されおり、この突合せ部間には、両連結縦框間の間隙を埋めるように閉塞部材が装着されている。各突合せ部の脱衣室側の端部片には、折曲げ軸部が一体に形成され、また閉塞部材には、各折曲げ軸部を回動自在に軸支する左右一対の軸受け部が設けられていおり、この一対の折曲げ軸部と一対の軸受け部とで、両扉体を折り曲げるためのヒンジ機構が構成されている。
この場合、折曲げ軸部は連結縦框の全長に亘って形成されるが、軸受け部は、閉塞部材の全長に亘って形成される場合（例えば、特公昭６０−４９７４９号公報）と、専用のピース部材として閉塞部材の上下両端部に端部キャップと共に装着される場合（例えば、実用新案登録第２５３８８２４号）とがある。
【０００３】
【発明が解決しようとする課題】
このような、従来の折戸において、前者のヒンジ構造（ヒンジ機構）では、折曲げ軸部と軸受け部とが全長に亘って摺接するため、連結強度は十分に有するものの、製造上における長手方向の形状精度から折戸の円滑な開閉が阻害されたり、折曲げ軸部と軸受け部とが部分的に擦れて傷つくなどの問題があった。
また、後者のヒンジ構造（ヒンジ機構）では、上記のような製造上の誤差に基づく不具合は少ないが、両扉体が上下両端部でのみ軸支されているため、連結強度が不十分であり、折戸の開閉の際に両連結縦框が中間部で大きく撓み、且つ離間して、折戸の円滑な開閉が阻害されたり、閉塞部材の外周面と両連結縦框の浴室側の端部片とが擦れ合って傷つくなどの問題があった。
【０００４】
本発明は、製造上の誤差を吸収することができると共に開閉の際の連結縦框同士の離間を防止して、円滑な開閉を可能にする折戸を提供することをその目的とする。
【０００５】
【課題を解決するための手段】
本発明の折戸は、連結縦框同士を突き合わせた左右の扉体を折曲げ自在に連結すると共に両連結縦框間に跨って配設したヒンジ機構と、両連結縦框間の間隙を閉塞するように両連結縦框間に跨って配設した閉塞部材と、を有する折戸において、ヒンジ機構は、両連結縦框の少なくとも上端部、下端部および中間部にそれぞれ配設され、且つそれぞれが閉塞部材の内側にその小口から挿入・装着される複数の軸受け部材と、両連結縦框の一方の端部片にそれぞれ形成され、各軸受け部材に回動自在に支持される折曲げ軸部と、を備え、各軸受け部材は、見付け方向の左右中間に位置する受け部材本体と、受け部材本体から左側に突出する左受け部と、受け部材本体から右側に突出する右受け部とから成り、左受け部および右受け部は、受け部材本体を挟んで上下方向に相互に位置ずれして配設されていることを特徴とする。
【０００６】
この構成によれば、連結縦框の端部片に形成した折曲げ軸部を回動自在に支持する軸受け部材が、ピースものとして、連結縦框の上端部および下端部に加え、中間部にも設けられているため、連結縦框同士の連結強度が増し、両連結縦框の極端な撓みおよび離間が有効に防止される。また、軸受け部材がピースものであるため、その製造上の誤差による折曲げ軸部と軸受け部材との間の部分当たりを、極力少なくすることができる。なお、上記の「少なくとも」の意味は、中間部に１以上の軸受け部材を配設するとする意味である。
また、両扉体の開閉において、軸受け部材は、閉塞部材の内側に隠蔽され、外部に露出することがない。さらに、中間部に位置する軸受け部材は、閉塞部材をかしめるなどして、これに係止しておくことができる。
【０００７】
この場合、左受け部および右受け部に対し、受け部本体は上下方向に長く形成され且つ挿入側の端部が突出していることが、好ましい。
【０００９】
この場合、各折曲げ軸部は、回動の支点となる支点部と、支点部に連なる円弧部とを有し、軸受け部材は、各支点部を受ける左右一対の支点受け部と、各円弧部を摺動自在に受ける左右一対の円弧受け部とを有していることが、好ましい。また同様に、各折曲げ軸部は、回動の支点となる支点部と、支点部に連なる円弧部とを有し、閉塞部材は、各支点部を受ける左右一対の支点受け部を有し、軸受部材は、各円弧部を摺動自在に受ける左右一対の円弧受け部とを有していることが、好ましい。
【００１０】
この構成によれば、支点受け部に対し支点部が回動すると共に、円弧受け部に対し円弧部が摺動して、両扉体が折り曲げられる。したがって、断面円形の軸および軸受を用いることなく、ヒンジ機構を構成することができる。
【００１１】
これらの場合、閉塞部材の上端部に配設された軸受け部材は、閉塞部材の上小口端に装着した端部キャップに組み込まれ、閉塞部材の下端部に配設された軸受け部材は、閉塞部材の下小口端に装着した端部キャップに組み込まれていることが、好ましい。
【００１２】
この構成によれば、軸受け部材を上下の端部キャップにそれぞれ組み込むことにより、閉塞部材に端部キャップを装着することで、軸受け部材を閉塞部材に簡単に組み付けることができる。また、端部キャップにより、両連結縦框の上下の位置ずれを防止することができる。
【００１３】
これらの場合、各連結縦框は金属製の形材で構成され、各軸受け部材は樹脂で構成されていることが、好ましい。
【００１４】
この構成によれば、相互に摺動する連結縦框の円弧部と、軸受け部材の円弧受け部との摺動面が、金属と樹脂の接触となるため、相互に傷つき難く且つ耳障りな擦れ音が発生が、有効に防止される。
【００１５】
【発明の実施の形態】
以下、添付図面を参照して、本発明の一実施形態に係る折戸を浴室の中折戸に適用した場合について説明する。図１の姿図、図２の横断面図および図３の縦断面図に示すように、この折戸１は、枠体２に左扉体３ａおよび右扉体３ｂから成る扉体３を組み込んで構成され、左扉体３ａと右扉体３ｂとは、突き合わせた状態で、連結部材４を介して折曲げ自在に連結されている。この場合、折戸１は、左右の両扉体３ａ，３ｂが浴室Ａ側に折り込まれることにより開放し、折り込んだ状態から左右の両扉体３ａ，３ｂが脱衣室Ｂ側に展開されることにより閉塞する。
【００１６】
枠体２は、アルミニウムの形材で構成された上枠１１、下枠１２および両縦枠１３，１３を枠組みして成り、浴室Ａの開口部に取り付けられている。上枠１１は、上枠中空部１５と、上枠中空部１５から「Ｌ」字状に脱衣室Ｂ側に延びる上枠見切り片１６とを有し、上枠見切り片１６の下部には、扉体３に向かって延びる上シール部材１７が取り付けられている。また、上枠中空部１５の下面には、両扉体３ａ，３ｂの開閉を案内する上ガイドレール１８が突設されている。
【００１７】
同様に、下枠１２は、下枠中空部２０と、下枠中空部２０から逆「Ｌ」字状に脱衣室Ｂ側に延びる下枠見切り片２１とを有し、下枠見切り片２１の上部には、扉体３に向かって延びる下シール部材２２が取り付けられている。また、下枠中空部２０の上面には、両扉体３ａ，３ｂの開閉を案内する下ガイドレール２３が突設されている。
【００１８】
左右に各縦枠１３は、縦枠中空部２５と、縦枠中空部２５から見込み方向に延びる縦枠見切り片２６と、縦枠中空部２５から見付け方向に延びるシール取付片２７および壁受け片２８とを有している。シール取付片２７には、扉体３に向かって延びる脱衣室Ｂ側の縦シール部材２９が取り付けられている。そして、これら上シール部材１７、下シール部材２２および両縦シール部材２９，２９により、左右両扉体３ａ，３ｂと枠体２との間が四周に亘ってシールされている。
【００１９】
左右各扉体３ａ，３ｂは、アルミニウムの形材で構成された上框３１および下框３２に、縦框３３および連結縦框３４とを框組みすると共に、これに樹脂製のパネル体３６，３６を嵌め込んで構成されている。左扉体３ａの上下中間位置には、脱衣室Ｂ側に引手部３７が形成され、浴室Ａ側に引手を兼ねるタオル掛け３８が取り付けられている。各扉体３ａ，３ｂの下框３２には、室内外を連通する開閉機構付きの換気ガラリ３９が形成されている。また、左扉体３ａの連結縦框３４にはラッチ機構４０が、右扉体３ｂの連結縦框３４には閉塞ロック機構４１が組み込まれている。さらに、各扉体３ａ，３ｂの縦框３３には、後述する上スライダ４７ａを上ガイドレール１８から離脱させる離脱機構４２が組み込まれている。
【００２０】
各扉体３ａ，３ｂの下框３２には、その下端部の浴室Ａ側内面に、下ガイドレール１８に密接する下向きシール片４４，４４が取り付けられている。同様に、各縦框３３には、縦枠１３の縦枠中空部２５に密接する横向きシール片４５が取り付けられている。一方、各扉体３ａ，３ｂの縦框３３には、上下のピンヒンジ４６，４６を介して上スライダ４７ａおよび下スライダ４７ｂがそれぞれ取り付けられ、各扉体３ａ，３ｂはこの上スライダ４７ａおよび下スライダ４７ｂにより、上ガイドレール１８および下ガイドレール２３に、それぞれスライド自在に支持されている。ただし、右扉体３ｂの上下両スライダ４７ａ，４７ｂは、上下両ガイドレール１８，２３に固定されている。
【００２１】
これにより、折戸１は、左扉体３ａと右扉体３ｂとが枠体２の幅いっぱいに横に並んだ閉扉位置と、左扉体３ａに右扉体３ｂを重ねるように折り畳んだ開扉位置との間で、開閉される。すなわち、閉扉位置から引手部３７を斜め前方に押すことにより、左扉体３ａと右扉体３ｂが、それぞれピンヒンジ４６を中心に回動すると共に、右扉体３ｂの上下両スライダ４７ａ，４７ｂが上下両ガイドレール１８，２３に案内されて左側に移動し、同時に左扉体３ａと右扉体３ｂとが連結部材４の部分で折れ曲がって、左扉体３ａに右扉体３ｂが重なるように折り畳まれる（開放）。
【００２２】
次に、図４および図５を参照して、連結部材４廻りの構造について詳細に説明する。同図に示すように、左右の両扉体３ａ，３ｂの各連結縦框３４は、突合せ部５１の端面が開放されており、両連結縦框３４はこの開放部分が対向するように配設されている。そして、この突合せ部５１の内部間に亘ってこれらに収容されるように、上記の連結部材４が取り付けられている。
【００２３】
連結部材４は、両連結縦框３４，３４の突合せ部５１，５１間に内設され、連結縦框３４とほぼ同一長さを有する閉塞部材６と、閉塞部材６の長手方向の４箇所に装着した４つの軸受け部材７とで構成されている。４つの軸受け部材７のうち、中間部の２つの中間軸受け部材７ａ，７ａは、それぞれ単独で閉塞部材６の内面に装着され、上端部および下端部の上軸受け部材７ｂおよび下軸受け部材７ｃは、それぞれ閉塞部材６の上端部キャップ８ａおよび下端部キャップ８ｂに組み込まれた状態で、閉塞部材６の内面にそれぞれ装着されている（図１参照）。
【００２４】
一方、各連結縦框３４の突合せ部５１は、断面略「コ」字状に形成されており、浴室Ａ側の端部片５２ａの先端部は、閉塞部材６との間隙を狭くすべく内側に湾曲している。一方、脱衣室Ｂ側の端部片５２ｂの先端部には、上記の軸受け部材７に回動自在に軸支される折曲げ軸部５３が一体に形成されいる。折曲げ軸部５３は、円弧部位５３ａと平板部位５３ｂとで断面略「フ」字状に屈曲形成されており、後述する各軸受け部材７の軸受け部７５に内包され、折り曲げに伴う回動の際に、平板部位５３ｂの先端部５３ｃが回動支点となると共に、円弧部位５３ａの外面が軸受け部７５の内面に摺接する（詳細は後述する）。すなわち、この両折曲げ軸部５３と４つの軸受け部材７とにより、両扉体３ａ，３ｂのヒンジ機構が構成されている。
【００２５】
閉塞部材６は、突き合わせた連結縦框３４，３４間の間隙を閉塞するものであり、脱衣室Ｂ側中央が開放された断面略半円状の中空形状に形成されている。閉塞部材６の浴室Ａ側の半円部６１は、浴室Ａ側の端部片５２ａに間隙を存して対峙しており、折曲げ軸部５３を中心に回動する端部片５２ａの先端部の回動軌跡に合致している。また、閉塞部材６の脱衣室Ｂ側の一対の平坦部６２は、これに形成した小突起が脱衣室Ｂ側の端部片５２ｂの内側に当接して、両扉体３ａ，３ｂの逆折れを防止している。さらに、半円部６１の内側中間位置には、上下の端部キャップ８ａ，８ｂを取り付けるためのビスホール６３が突設されている。なお、２つの中間軸受け部材７ａ，７ａは、このビスホール６３をかしめて変形させることで、閉塞部材６の中間位置に取り付けられている。
【００２６】
各中間軸受け部材７ａは、図４および図６に示すように、断面方向において、外周面が閉塞部材６の内周面と相補的な形状に形成されており、閉塞部材６の小口からに挿入するようにして、これに取り付けられている。中間軸受け部材７ａは、受け部材本体７１と、受け部材本体７１から左側に突出する左受け部７２と、受け部材本体７１から右側に突出する右受け部７３とで一体に形成されている。左受け部７２と右受け部７３とは、受け部材本体７１に対し上下に位置ずれして配設され、また受け部材本体７１、左受け部７２および右受け部７３のそれぞれの上下両端部は面取りされていて、閉塞部材６の小口から容易に挿入できるようになっている。なお、中間軸受け部材７ａは、上下反転した形状が同一であり、上下を区別する必要のない形状に形成されている。
【００２７】
一方、受け部材本体７１には、両連結縦框３４，３４の折曲げ軸部５３，５３間に挿入されるスペーサ部７４が突設され、このスペーサ部７４の左右の外面と、スペーサ部７４にそれぞれ対峙するの左受け部７２および右受け部７３のＬ字部分との間に、断面略１／４円状の左右一対の軸受け部７５，７５が形成されている。各軸受け部７５には、折曲げ軸部５３の円弧部位５３ａに対応する円弧受け部位７５ａと、平板部位５３ｂの回動支点となる先端部５３ｃを受ける支点受け部位７５ｂとが形成されている。
【００２８】
次に、上端部キャップ８ａと下端部キャップ８ｂについて説明するが、両端部キャップ８ａ，８ｂは全く同一のものであり、ここでは、上端部キャップ８ａについてのみ説明し、下端部キャップ８ｂの説明は省略する。上端部キャップ８ａは、図５および図７に示すように、断面方向において、外周面が閉塞部材６の内周面と相補的な形状に形成された上軸受け部材７ｂと、閉塞部材６の小口形状と略同一の平面形状を有するキャップ部材９とで一体に形成（成形）されている。
【００２９】
キャップ部材９の浴室Ａ側の部位には下向きのスペーサ片８１が突設されており、このスペーサ片８１が、両連結縦框３４，３４の浴室Ａ側の端部片５２ａの先端間に挿入される。これにより、端部片５２ａ間の離間寸法が保持され、且つ両扉体３ａ，３ｂの逆折れが防止される。また、キャップ部材９の上面には、閉塞部材６のビスホール６３に螺合するビス用のざぐり穴８２が形成されている。
【００３０】
上軸受け部材７ｂは、上記の中間軸受け部材７ａと同様に、受け部材本体９１と、受け部材本体９１から左側に突出する左受け部９２と、受け部材本体９１から右側に突出する右受け部９３とで一体に形成され、且つこれらはキャップ部材９の裏面から下方に向かって延設されている。この場合、受け部材本体９１の延設寸法が最も長く、次いで左受け部９２、右受け部９３の順で短く形成されており、これらの下端部に形成した面取り部分と相まって、上軸受け部材７ｂを閉塞部材６の小口に容易に装着できるようになっている。
【００３１】
また、上軸受け部材７ｂには、上記の中間軸受け部材７ａと同様に、受け部材本体９１にスペーサ部９４が突設され、このスペーサ部９４の左右の外面と、左受け部９２および右受け部９３のＬ字部分との間に、断面略１／４円状の左右一対の軸受け部９５，９５が形成されている。そして、各軸受け部９５には、折曲げ軸部５３の円弧部位５３ａに対応する円弧受け部位９５ａと、回動支点となる先端部５３ｃを受ける支点受け部位９５ｂとが形成されている。
【００３２】
ここで、図８を参照して、中間軸受け部材７ａの部分を例に、両扉体３ａ，３ｂの開閉動作について説明する。同図（ａ）に示すように、両扉体３ａ，３ｂが閉塞している展開状態では、各連結縦框３４の折曲げ軸部５３の先端部５３ｃが、中間軸受け部材７ａの各支点受け部位７５ｂに当接し、且つ折曲げ軸部５３の円弧部位５３ａが、中間軸受け部材７ａの各円弧受け部位７５ａの浴室Ａ側端に接触している。この状態から同図（ｂ）に示すように、両扉体３ａ，３ｂが開放してゆくと、折曲げ軸部５３の先端部５３ｃを回動支点として、その円弧部位５３ａが中間軸受け部材７ａの円弧受け部位７５ａに案内され、摺動しながら円弧受け部位７５ａの脱衣室Ｂ側端に向かって移動してゆく。さらに同図（ｃ）に示すように、両扉体３ａ，３ｂが折り畳まれて完全に開放されると、折曲げ軸部５３の円弧部位５３ａが中間軸受け部材７ａの円弧受け部位７５ａの脱衣室Ｂ側端に達し、円弧部位５３ａと円弧受け部位７５ａとが全面的に接触する。
【００３３】
この状態では、閉塞部材６の半円部６１が浴室Ａ側に大きく露出すると共に、脱衣室Ｂ側の両端部片５２ｂ，５２ｂが中間軸受け部材７ａのスペーサ部７４を挟み込む。また、両扉体３ａ，３ｂを開放状態から閉塞する場合には、全く逆の手順となる。
【００３４】
次に、図９および図１０を参照して他の実施形態について説明する。図９の第２実施形態では、中間軸受け部材７ａの幅が閉塞部材６の脱衣室側の開口部６４の幅と略同一に形成され、且つ中間軸受け部材７ａの両側面に左右一対の抜止め突起７６，７６が形成されている。すなわち、中間軸受け部材７ａを閉塞部材６の小口ではなく、開口部６４を介して閉塞部材６の脱衣室Ｂ側正面からスナップイン形式で装着できるようになっている。
【００３５】
一方、閉塞部材６には、中間軸受け部材７ａのスペーサ部７４に沿って、ビスホール６３から支持片６５が延設されている。閉塞部材６の中間軸受け部材７ａを装着する部分では、この支持片６５が中間軸受け部材７ａの高さに相当する分、切り欠かれており、この切欠き部分に中間軸受け部材７ａが装着される。これにより、中間軸受け部材７ａは、閉塞部材６の上下方向の所定の位置に位置決めされた状態で、装着される。したがって、中間軸受け部材７ａを、閉塞部材６に簡単に組み込むことができる。なお、図中の符号９６は、端部キャップ８ａ，８ｂの軸受け部材７ｂ，７ｃに補強のために装着した補強板である。
【００３６】
図１０の第３実施形態では、中間軸受け部材７ａが上記の受け部材本体７１に相当する部分で構成されている。一方、閉塞部材６には、中間軸受け部材７ａを挟み込むように先端部内側に屈曲した一対のリブ片６６，６６が、浴室Ａ側から脱衣室Ｂ側に向かって延設されている。また、この閉塞部材６には平坦部６２がなく、この両リブ片６６，６６の端と半円部６１の端が脱衣室Ｂ側の端部片５２ｂの内面に当接している。
【００３７】
そして、この場合には、両リブ片６６，６６の屈曲部位６６ａを含む先端部と、中間軸受け部材７ａのスペーサ部７４の左右の外面との間に、断面略１／４円状の左右一対の軸受け部７５，７５が構成されている。そして、折曲げ軸部５３の円弧部位５３ａに対応する円弧受け部位７５ａは、中間軸受け部材７ａで構成されるているが、回動支点となる先端部５３ｃに対応する支点受け部位７５ｂは、各リブ片６６の屈曲部位６６ａで構成されている。なお、この場合も、中間軸受け部材７ａは、閉塞部材６をかしめることでこれに装着されている。また、端部キャップ８ａ，８ｂにおける軸受け部材７ｂ，７ｃには、強度アップのために左受け部９２および右受け部９３に相当する部材が、リブ片６６を挟み込むようにして設けられている。
【００３８】
以上のように、これらの実施形態によれば、上端部キャップ８ａおよび下端部キャップ８ｂに組み込んだ軸受け部材７ｂ，７ｃの他に、閉塞部材６の長手方向の中間部分に装着した中間軸受け部材７ａにより、両扉体３ａ，３ｂが連結されている。このため、両扉体３ａ，３ｂの連結強度が増し、両扉体３ａ，３ｂを開閉するときに、両連結縦框３４，３４が撓み難くなると共に、連結縦框３４，３４の突き合わせ端の離間距離が一定に保持され、両扉体３ａ，３ｂを円滑に開閉させることができる。また、軸受け部材７は、ピースもので構成されているため、長手方向における製造上の誤差の影響を排除することができ、この製造上の誤差に基づく両扉体３ａ，３ｂの開閉不良や、部材同士の無用な擦れを防止することができる。
【００３９】
また、両扉体３ａ，３ｂを開閉動作に伴って擦れ合う（摺動）、折曲げ軸部５３の円弧部位５３ａと軸受け部材７の円弧受け部位７５ａ，９５ａとは、それぞれ折曲げ軸部５３が金属（アルミニウム）で、軸受け部材７が樹脂で構成されているため、両者間の磨耗を極力抑制することができると共に、不快な擦れ音も有効に防止することができる。
【００４０】
なお、本実施形態では、浴室用の折戸について説明したが、勝手口折戸などの他の折戸にも適用できることは、いうまでもない。また、中間軸受け部材の数および位置は、実施形態に限定されるものではない。また、上下両軸受け部材を、端部キャップとは別体として、閉塞部材に装着するようにしてもよい。
【００４１】
【発明の効果】
以上のように本発明の折戸によれば、折曲げ軸部を回動自在に支持する軸受け部材が、ピースものとして、連結縦框の中間部にも設けられているため、両連結縦框の極端な撓みおよび離間が有効に防止され、且つ製造上の誤差による折曲げ軸部と軸受け部材との間の部分当たりも、極力少なくすることができる。したがって、簡単な構造で、扉体の開閉を円滑なものとすることができる。
【図面の簡単な説明】
【図１】本発明の一実施形態に係る折戸の姿図である。
【図２】実施形態に係る折戸の横断面図である。
【図３】実施形態に係る折戸の縦断面図である。
【図４】中間軸受け部材廻りの拡大横断面図である。
【図５】上端部キャップ廻りの拡大横断面図である。
【図６】中間軸受け部材の構造図である。
【図７】上軸受け部材を含む上端部キャップの構造図である。
【図８】折戸の開閉動作に関する軸受け部材廻りの動作説明図である。
【図９】第２実施形態に係る軸受け部材廻りの拡大横断面図である。
【図１０】第３実施形態に係る軸受け部材廻りの拡大横断面図である。
【符号の説明】
１  折戸、３  扉体、３ａ  左扉体、３ｂ  右扉体、４  連結部材、６  閉塞部材、７  軸受け部材、７ａ  中間軸受け部材、７ｂ  上軸受け部材、７ｃ  下軸受け部材、８ａ  下端部キャップ、８ｂ  上端部キャップ、３４  連結縦框、５１  突合せ部、５２ｂ  端部片、５３  折曲げ軸部、５３ａ  円弧部位、５３ｃ  先端部、６３  ビスホール、６６  リブ片、６６ａ  屈曲部位、７５  軸受け部、７５ａ  円弧受け部位、７５ｂ  支点受け部位、９５  軸受け部、９５ａ円弧受け部位、９５ｂ  支点受け部位、Ａ  浴室、Ｂ  脱衣室
【図１】
0003572445.tif 000002
【図２】
0003572445.tif 000003
【図３】
0003572445.tif 000004
【図４】
0003572445.tif 000005
【図５】
0003572445.tif 000006
【図６】
0003572445.tif 000007
【図７】
0003572445.tif 000008
【図８】
0003572445.tif 000009
【図９】
0003572445.tif 000010
【図１０】
0003572445.tif 000011